(57)【特許請求の範囲】
【請求項１】
一側面に水平方向に所定幅の係合部分を有するデッドボルトを錠箱内に水平動自在に設け、一方、デッドボルトに沿って杆状のトリガーをスライド自在に配設し、このトリガーは付勢バネの弾発力により、その先端部が面座から突出するように常時付勢され、さらに、前記トリガーには、先端部側に第１案内支持部分とこの第１案内支持部分よりも後方側に直線運動を回転運動に変換する第２案内支持部分を形成すると共に、該トリガーには、先端部が前記第１案内支持部分を貫通する固定軸を介して支持されていると共に、中央部が前記第２案内支持部分に係合する可動軸を介して回動可能に支持され、かつ、後端部が前記係合部分の切欠後端面に若干の間隙を有して入り込むトリガー係止片を共働可能に組み合わせたことを特徴とする錠前のトリガー機構。
【請求項２】
請求項１に於いて、トリガー係止片は、横杆状のトリガーに外嵌合する断面チャンネル形状の嵌合枠体であることを特徴とする錠前のトリガー機構。
【発明の詳細な説明】
【技術分野】
【０００１】
本発明は、引戸、開き扉等の開閉体に取り付けられる錠前のトリガー機構に関する。
【背景技術】
【０００２】
特許文献１及び特許文献２は、出願人が貴庁に提案した発明である。特許文献１は電気錠に関する発明であり、一方、特許文献２は引戸用鎌錠に関する発明であるが、これらの特許文献には、「カマ」、「トリガー」、「係止片」、「付勢バネ」を組み合わせたトリガー機構がそれぞれ記載さている。
【０００３】
すなわち、特許文献１の図１には、カマに相当する回動ロック片１１と、この回動ロック片１１のフック部１１ｂの外周に形成した係合溝１４に係脱する回動片４０と、この回動片に係合するトリガー４２と、前記回動片に設けられた付勢バネ４１とから成るトリガー機構を含む電気錠が記載され、閉戸時に於いて、前記トリガー４２の先端面が引戸又は柱側のストライク９の面に衝突すると、トリガー４２と共働する前記回動片４０が付勢バネ４１のバネ力に抗して係合を解く方向へ回転し、これにより回動ロック片１１が駆動モータの駆動力又は操作部材の操作力によりストライク９に対して係合（掛合）する方向へ回転可能と成る事項（特に、請求項３には、回動ロック片のフック部には係合溝が形成され、一方、錠箱本体内にはバネ部材のバネ力を利用してトリガーを常時面座の第２の孔から突出するように押し出す回動片が軸支され、この回動片の先端部は前記係合溝に常時係合している旨）が記載されている。
【０００４】
また、特許文献２に記載のトリガー機構は、トリガーがストライクに当たった瞬間の第１段階とトリガーが後退中の第２段階とを含むやや複雑な構成であるが、要は、特許文献１のトリガー機構と同様に、トリガー７の先端面がストライク１の面に衝突すると、トリガー７と共働する係止片８の係合端部８ａが付勢バネ１０のバネ力に抗して係合を解く方向へ回転し、これによりカマ６が自動的にストライク１に対して係合（掛合）する方向へ回転可能と成る。なお、用語の符号は特許文献のものである。
【０００５】
これらの特許文献１、２に共通する「発明の課題」は、閉戸時に於いて、トリガーが所定量後退することを条件として、カマに対するトリガー側の係止片の係止状態を解き、その後に、操作手段の操作力又は駆動手段の駆動力により、施錠機構の駆動手段等が作動できる、ということである。この点について付言すると、閉戸時、カマをストライクにきちんと係合（掛合）させるために、引戸を所定の位置まで閉めない限り、例えば操作部材を操作することができないようにトリガー機構の係止片を直接カマに係止させている。
【特許文献１】特開平７−２６８０９号公報
【特許文献２】特開２００７−１５４５３１号公報
【発明の開示】
【発明が解決しようとする課題】
【０００６】
特許文献１，２に記載のトリガー機構は、係止片を直接カマに係止させているので、固定側の部材（戸枠、ストライク板）と可動側の部材（引戸、開き扉）の戸先との間のクリアランス（間隙）に自由度（幅）を持たせるのが容易ではなかった。その理由は、カマは支軸を支点に回転する施錠片であることから、設計上、カマのフック部の外周にトリガー係止片用の係合溝を形成せざるを得ず、そのために、略所定幅のクリアランスを前提として、トリガー機構の構成部材の取付け位置や係合位置を正確に行う必要があった。
【０００７】
特に、特許文献１に記載のトリガー機構は、トリガー７の先端面がストライク板の面に衝突すると、直ぐ外れることから、特許文献２のように、複数個の部材を加味し、トリガーが後退中の第２段階に係止片がカマから外れるように工夫をする必要があった。そのためにトリガー機構を構成する部品点数が多くなった。
【０００８】
また、従来のトリガー機構は、特許文献１，２に記載の発明も含めて、施錠片が「カマ」である場合には適用することができるものの、施錠片が水平方向に往復動する「デッドボルト」やカマを含む「カマデッド」にはそのまま適用することができないという問題点があった。
【０００９】
そこで、本発明の所期の目的は、引戸又は開き扉用の錠前に「デッドボルト」や「カマデッド」を設けた場合であっても、トリガー係合片と施錠片との係合を安定かつ確実に行うことができ、また、固定側の部材（戸枠、ストライク板）と可動側の部材（引戸、開き扉）の戸先との間のクリアランス（間隙）に自由度（幅）を持たせることができる錠前のトリガー機構を提案することである。本発明の第２の目的は、構成する部品点数を少なくし、錠箱内に容易に組み込むことができることである。
【課題を解決するための手段】
【００１０】
本発明の錠前のトリガー機構は、一側面に水平方向に所定幅の係合部分を有するデッドボルトを錠箱内に水平動自在に設け、一方、デッドボルトに沿って杆状のトリガーをスライド自在に配設し、このトリガーは付勢バネの弾発力により、その先端部が面座から突出するように常時付勢され、さらに、前記トリガーには、先端部側に第１案内支持部分とこの第１案内支持部分よりも後方側に直線運動を回転運動に変換する第２案内支持部分を形成すると共に、該トリガーには、先端部が前記第１案内支持部分を貫通する固定軸を介して支持されていると共に、中央部が前記第２案内支持部分に係合する可動軸を介して回動可能に支持され、かつ、後端部が前記係合部分の切欠後端面に若干の間隙を有して入り込むトリガー係止片を共働可能に組み合わせたことを特徴とする。
【００１１】
上記構成に於いて、トリガー係止片は、横杆状のトリガーに外嵌合する断面チャンネル形状の嵌合枠体であることを特徴とする。
【発明の効果】
【００１２】
（ａ）引戸又は開き扉用の錠前に「デッドボルト」や「カマデッド」を設けた場合であっても、デッドボルトの一側壁に形成した水平方向の係合部分にトリガー係合片の後端面が若干の間隙を有して入り込むので、固定側の部材と開閉体の戸先との間のクリアランスの相違（例えば４ｍｍ、３ｍｍ、２ｍｍなど）があっても、トリガー係合片と施錠片との係脱を実現することができる。また、施錠片としての「デッドボルト」は、普通一般に施錠片としての「カマ」に比較して強靭であることから、駆動手段からの施錠（突出）方向への駆動力がデッドボルトに強く作用しても、第１案内支持部分内に位置する固定軸と前記第１案内支持部分よりも後方側に可動軸の両方で支持されているトリガー係合片の後端面が確実かつ安定的にデッドボルトの係合部分の切欠後端面を受け止めることができる。
（ｂ）固定側の部材（戸枠、ストライク板）と可動側の部材（引戸、開き扉）の戸先との間のクリアランス（間隙）に自由度（幅）を持たせることができる。
（ｃ）請求項２に記載の発明は、構成する部品点数を少なくし、錠箱内に容易に組み込むことができる。
【発明を実施するための最良の形態】
【００１３】
以下、図１乃至図１０に示す本発明を実施するための最良の形態により説明する。
【００１４】
（１）発明の実施の環境
図１乃至図３は発明の実施の環境を示す各概略説明図である。図１は、開戸時における固定側部材と可動側部材の環境の概略説明図で、開戸時における錠前Ｘの解錠状態を示している。
【００１５】
さて、図１乃至図３に於いて、１は錠箱で、この錠箱１は、例えば開閉体の一例として引戸２に内設される。この錠箱１には後述する施錠片用第１開口３、トリガー用第２開口４等が適宜に形成されている。また、錠箱１を構成する面座（フロント）５の上下端部にも不番の固着具用孔が形成されている。
【００１６】
一方、７は、本実施例では前記面座５と対面する固定部材（柱、戸枠、ストライク板）である。この固定部材、例えば受け具としてのストライク板７には係入穴８が設けられている。この図１では、錠箱１に形成した複数個の軸孔、嵌合孔、突起、ガイド、取付け用固着具等の細部的事項は割愛してある。
【００１７】
ここで、錠前Ｘの構成部材を簡単に説明する。なお、錠前Ｘの構成部材は、あくまでも実施の環境を説明するための一例に過ぎないので、錠箱１内に駆動モータ、歯車、クラッチ手段等を配設し、例えば特許文献１のような「電気錠」にすることもできる。
【００１８】
まず、１１は錠箱１の中央部に配設された「カマデッド（当業者用語）」である。カマデッド１１は施錠片の一例であり、水平方向に往復動するデッドボルト１２と、該デッドボルトと連動しかつ支軸を支点に所定量回転するカマ１３から構成されている。周知事項のカマデッド１１等の具体的構成については割愛する。
【００１９】
本実施例では、一側面（例えば底壁面）に水平方向に所定幅の係合部分１４（切欠、溝、開口など）を形成した点に特徴がある。この係合部分１４は、デッドボルト１２の垂直側壁に形成したデッド水平案内長孔１５の下部位置に形成され、切欠先端面１４ａはデッドボルト１２の略中央部に、一方、切欠後端面１４ｂはデッドボルト１２の後端部付近に位置している。なお、１６は支軸、１７は連結可動軸、１８はガイド軸である。
【００２０】
次に、２１はデッドボルト１２の後端部に形成された逆ハの字形状の不番係合部に選択的に駆動腕が係合する駆動手段（通称、ダルマ）で、この駆動手段２１の環状部は錠箱１に設けた軸受けに回動自在に嵌合している。
【００２１】
２２は左右一対の駆動手段用ストッパである。また、２３はクリック機能を有する駆動手段用付勢手段で、この付勢手段２３の基端部は、カマ用支軸１６の斜め上方に位置する第２支軸２４に指状押圧片２３ａが軸支されていると共に、クリックバネ２３ｂの中央部は、前記第２支軸２４に巻装されている。
【００２２】
図２及び図３は、錠前Ｘの外観構成を概略的に示している。図２を基準にすると、２５は室内側に位置するサムターン、一方、２６は室外側に位置するシリンダであり、これらの部材の駆動軸は、前述した駆動手段２１に直接又は間接的に連係している。したがって、閉戸時において、操作手段、例えばシリンダに差し込んだ合鍵を操作すると、図１０で示すように、施錠片１１が面座５から突出してストライク板７に係合する。
【００２３】
（２）本発明の主要部
本発明の中核は、錠前Ｘのトリガー機構Ｙである。特許文献１のトリガー機構と対比すると、特許文献１では、トリガー係止片が回転するカマに対して係脱するのに対して、本発明では、施錠片１１が少なくとも水平方向に移動するデッドボルト１２を含み、該デッドボルト１２にトリガー係止片３６が係合可能である点である。
【００２４】
前述したように、デッドボルト１２は、一側面に水平方向に所定幅の係合部分１４を有する。この係合部分１４の切欠後端面１４ｂにトリガー機構Ｙを構成するトリガー係止片３６の後端面４０ａが係脱する。
【００２５】
（３）トリガー機構Ｙの構成部材
そこで、トリガー機構Ｙの構成部材を説明する。図４はトリガー機構Ｙの構成部材を分解した概略説明図である。まず、３１はデッドボルト１２に沿ってスライド自在に配設されたトリガーで、このトリガー３１は錠箱１内に設けた付勢バネ３２の弾発力により、その先端部が面座５から突出するように常時付勢されている。
【００２６】
本実施例では、横杆状に形成されたトリガー３１は、その指先状の先端部３１ａが第２開口４に支持された状態で面座５から所定量突出している。トリガー３１の先端部３１ａは、図３で示すようにデッドボルト型に形成されている。
【００２７】
ここで、図４乃至図６を参照にして、横杆状トリガー３１の構成を説明する。３１ａは先端部で、この先端部３１ａは、前述したように付勢バネ３２の弾発力により面座５から常に所定量突出している。一方、３１ｂは後端部で、この後端部３１ｂには、前記付勢バネ３２の一端部が嵌合する不番のバネ端支持穴が形成されている。３３は先端部側に形成された第１案内支持部分で、この第１案内支持部分３３は所要長さの水平案内長孔である。
【００２８】
３４はこの第１案内支持部分よりも後方側に形成され、かつトリガー３１の直線運動をトリガー係止片３６の回転運動に変換する第２案内支持部分で、この第２案内支持部分３４は、前側の水平長孔３４ａと、この水平長孔３４ａに連通する後側の変換用傾斜面を有する傾斜長孔３４ｂとから成る。
【００２９】
３５は後端部３１ｂの垂直壁の下端部に段差状に突出形成された左右一対の規制ガイドで、これらの規制ガイド３５は錠箱１の図示しない水平ガイドに係合し、トリガー３１の先端部３１ａの突出量を規制する。
【００３０】
次に、図４、図７及び図８を参照にして、トリガー係止片３６の構成を説明する。本実施例のトリガー係止片３６は、横杆状トリガー３１に外嵌合する断面チャンネル形状の嵌合枠体である。しかして、３７は左右一対の軸受け板で、これらの軸受け板３７の先端部には、固定軸用軸孔３８が形成されている。そして、この固定軸用軸孔３８よりも後方の中央部（後端部寄りの部位も含む）には、可動軸用軸孔３９が形成されている。
【００３１】
そして、４０は左右一対の軸受け板３７の上辺に固定された係合板で、開戸時、この係合板４０の後端面４０ａが若干の間隙４１を有して前述した係合部分の切欠後端面１４ｂを受け止める機能を発揮する。
【００３２】
ここで、図１の開戸時を参照にして上記構成を説明すると、トリガー係止片３６の先端部はトリガー３１の第１案内支持部分３３を貫通するように錠箱１に横設軸架した固定軸４２に前記固定軸用軸孔３８を介して支持されていると共に、中央部がトリガー３１の第２案内支持部分３４に係合する可動軸４３を介して回動可能に支持され、かつ、後端部がデッドボルト１２の係合部分１４の切欠後端面１４ｂに若干の間隙４１を有して入り込むように横杆状トリガー３１に外嵌合している。
【００３３】
（４）開戸時―解錠状態
したがって、開戸時の錠前Ｘの解錠状態では、施錠片１１が駆動手段２１の駆動力により錠箱１内へと後退し、一方、トリガー３１は、付勢手段３２の付勢力により所定位置まで進出し、その先端部３１ａが錠箱の面座５から所定量突出していると共に、トリガー係止片３６は、その後端部側がデッドボルト１２に形成した係合部分１４に確実に入り込み、該デッドボルト１２の突出を阻止し得る錠前作動阻止状態と成る。つまり、開戸時又は開扉時に於いては、操作部材の操作力又は駆動源の駆動力により駆動手段２１乃至デッドボルト１２が施錠方向へ作動しないようにトリガー機構Ｙによりロックされている。
【００３４】
（５）閉戸時−図９
図９は、閉戸時又は開扉時に於いて、トリガー３１の先端面がストライク板７に衝突し、その先端部３１ａが所定量（例えば４ｍｍ、３．５ｍｍなど）錠箱１の内部へと後退したとき、トリガー係止片３６が動力変換機構（第１案内支持部分３３及び第２案内支持部分３４）を介してデッドボルト１２の係合部分１４から離脱する状態を示している。
【００３５】
本実施例では、トリガー係止片３６はデッドボルト１２の係合部分１４の切欠後端面１４ｂに若干の間隙４１を有して入り込むように横杆状トリガー３１に外嵌合していることから、ストライク板７と開閉体２の戸先との間のクリアランス（隙間）に多少の相違があっても、トリガー３１が所定量後退する限り、デッドボルト１２に対するトリガー機構Ｙのロックを解くことができる。図１０は、例えば閉戸時、操作部材の操作力により、駆動手段２１及び施錠片１１が矢印方向へ作動し、その結果、錠前Ｘが施錠状態となったことを示す。
【実施例】
【００３６】
発明の実施の形態で示した実施例に於いて、開閉体２は、引戸又は水平方向に回転する開き扉のいずれかを意味する。開閉体２が開き扉の場合には、図１１で示すように、トリガー３１の先端部３１ａは、例えばラッチ型に形成する（図３のデッドボルト型と対比）。もちろん、トリガー３１の先端部３１ａに水平回転ローラを軸支することもできる。
【産業上の利用可能性】
【００３７】
本発明は、主に錠前や建具の業界で利用される。
【図面の簡単な説明】
【００３８】
図１乃至図１０は本発明の最良の実施例を示す各説明図。
【図１】開戸時における錠前Ｘの解錠状態を示す概略説明図。
【図２】錠前Ｘの外観構成を示す面座側から見た説明図。
【図３】錠前Ｘの外観構成を示す平面側から見た説明図。
【図４】トリガー機構Ｙの構成部材を概略的に示す分解斜視図。
【図５】トリガーの正面図。
【図６】トリガーの底面図。
【図７】トリガー係止片の正面図。
【図８】図４の８−８線拡大断面図。
【図９】閉戸時又は開扉時に於いて、トリガー係止片がデッドボルトの係合部分から離脱する状態の説明図。
【図１０】閉戸時又は開扉時に於いて、錠前Ｘが施錠状態となった説明図。
【図１１】開き扉に適用した場合におけるトリガーの先端部の一例を示す図３と同様の図。
【符号の説明】
【００３９】
Ｘ…錠前、Ｙ…トリガー機構、１…錠箱、２…開閉体（引戸、開き扉）、５…面座（フロント）、７…固定部材（ストライク板）、１１…施錠片、１２…デッドボルト、１３…カマ、１４…係合部分、１４ａ…切欠先端面、１４ｂ…切欠後端面、１５…デッド水平案内長孔、２１…駆動手段、２３…駆動手段用付勢手段、３１…トリガー、３１ａ…先端部、３１ｂ…後端部、３２…付勢手段（付勢バネ）、３３…第１案内支持部分、３４…第２案内支持部分、３４ａ…水平長孔、３４ｂ…傾斜長孔、３５…規制ガイド、３６…トリガー係止片、３７…軸受け板、３８…固定軸用軸孔、３９…可動軸用軸孔、４０…係合板、４０ａ…後端面、４１…若干の間隙、４２…固定軸、４３…可動軸。
【図１】
0005017044.tif 000002
【図２】
0005017044.tif 000003
【図３】
0005017044.tif 000004
【図４】
0005017044.tif 000005
【図５】
0005017044.tif 000006
【図６】
0005017044.tif 000007
【図７】
0005017044.tif 000008
【図８】
0005017044.tif 000009
【図９】
0005017044.tif 000010
【図１０】
0005017044.tif 000011
【図１１】
0005017044.tif 000012